(57)【要約】【課題】電子機器において発生した熱を拡散させる。【解決手段】一端面から突出する突出部２１と発熱源２３を備えた本体部２と、一端面に突出部２１が係合する受部３４を有し、本体部２に回転可能に結合されて本体部２を部分的に覆う枠体３と、から構成される電子機器であって、当該電子機器は、突出部２１が受部３４に係合することにより、本体部２と枠体３が固定状態に保持され、本体部２は更に、当該本体部２と枠体３が固定状態に保持された時に、突出部２１と接触する接触部材２５を備える。そして、本体部２と枠体３が固定状態に保持された時に、発熱源２３から発生した熱が接触部材２４と突出部２１と受部３４を介して枠体３に拡散する。【選択図】図３
2017228550.tif 000002
【特許請求の範囲】
【請求項１】
一端面から突出する突出部と発熱源を備えた本体部と、
一端面に前記突出部が係合する受部を有し、前記本体部に回転可能に結合されて前記本体部を部分的に覆う枠体と、から構成される電子機器であって、
当該電子機器は、前記突出部が前記受部に係合することにより、前記本体部と前記枠体が固定状態に保持され、
前記本体部は更に、当該本体部と前記枠体が固定状態に保持された時に、前記突出部と接触する接触部材を備え、
前記本体部と前記枠体が固定状態に保持された時に、前記発熱源から発生した熱が前記接触部材と前記突出部と前記受部を介して前記枠体に拡散することを特徴とする電子機器。
【請求項２】
前記枠体は、金属部品と、前記金属部品の外側を覆う非金属部品と、から構成されており、
前記受部は前記金属部品に設けられ、前記本体部と前記枠体が固定状態に保持された時に、前記発熱源から発生した熱が前記接触部材と前記突出部と前記受部を介して前記金属部品に拡散することを特徴とする請求項１に記載の電子機器。
【請求項３】
前記突出部は、前記本体部の当該突出部を有する端面から突出する方向に付勢部品で付勢されていることを特徴とする請求項１または２に記載の電子機器。
【請求項４】
前記本体部と前記枠体が固定状態に保持された時、前記突出部は、前記付勢部品による付勢に抗って前記本体部の内部に没入して前記接触部材に接触することを特徴とする請求項３に記載の電子機器。
【請求項５】
前記本体部と前記枠体が固定状態に保持されていない時、前記突出部は、前記付勢部品による付勢により、前記接触部材から離間することを特徴とする請求項３または４に記載の電子機器。
【請求項６】
前記本体部は、撮像部を備える第１のブロックと、表示部を備える第２のブロックと、から構成されることを特徴とする請求項１から５の何れか一項に記載の電子機器。
【請求項７】
前記第１のブロックと前記第２のブロックは回転可能なことを特徴とする請求項６に記載の電子機器。
【請求項８】
前記発熱源は、前記第２のブロックに備えられていることを特徴とする請求項６または７に記載の電子機器。
【請求項９】
一端面から突出する突出部と発熱源を備えた本体部と、
一端面に前記突出部が係合する受部を有し、前記本体部に回転可能に結合されて前記本体部を部分的に覆う枠体と、から構成される電子機器の熱拡散方法であって、
当該電子機器は、前記突出部が前記受部に係合することにより、前記本体部と前記枠体が固定状態に保持され、
前記本体部は更に、当該本体部と前記枠体が固定状態に保持された時に、前記突出部と接触する接触部材を備え、
前記本体部と前記枠体が固定状態に保持された時に、前記発熱源から発生した熱が前記接触部材と前記突出部と前記受部を介して前記枠体に拡散することを特徴とする電子機器の熱拡散方法。
【発明の詳細な説明】
【技術分野】
【０００１】
本発明は、発熱源を備える電子機器と、その熱拡散方法に関する。
【背景技術】
【０００２】
カメラの筐体を囲むグリップフレームが当該カメラの筐体にヒンジ軸で取り付けられているカメラがある（特許文献１参照）。特許文献１のカメラは、表示部を有する表示部筐体と撮像部であるレンズを有するレンズ筐体とが中央部で回転可能に結合されて、レンズ筐体と枠体であるグリップフレームとが左右両側部で回転可能に結合されている。
そして、グリップフレームの先端部の中央内側にラッチがばねで押し出される方向に付勢して実装され、グリップフレームを回転させた際に、筐体の端面中央に設けられた受部にラッチが係合することで、グリップフレームと筐体を固定状態に保持する。
【先行技術文献】
【特許文献】
【０００３】
【特許文献１】特開２０１２−１３３０６１号公報
【発明の概要】
【発明が解決しようとする課題】
【０００４】
近年、電子機器の高密度実装化と消費電力の増加により、筐体の温度上昇が問題となっている。
熱を筐体外部に放熱しようとした場合、例えばファンなどを用いて外部に排熱する方法が挙げられるが、筐体サイズなどによってはファンなどを設置できないこともある。
【０００５】
本発明の課題は、電子機器において発生した熱を拡散させることである。
【課題を解決するための手段】
【０００６】
以上の課題を解決するため、本発明は、
一端面から突出する突出部と発熱源を備えた本体部と、
一端面に前記突出部が係合する受部を有し、前記本体部に回転可能に結合されて前記本体部を部分的に覆う枠体と、から構成される電子機器であって、
当該電子機器は、前記突出部が前記受部に係合することにより、前記本体部と前記枠体が固定状態に保持され、
前記本体部は更に、当該本体部と前記枠体が固定状態に保持された時に、前記突出部と接触する接触部材を備え、
前記本体部と前記枠体が固定状態に保持された時に、前記発熱源から発生した熱が前記接触部材と前記突出部と前記受部を介して前記枠体に拡散することを特徴とする。
【発明の効果】
【０００７】
本発明によれば、電子機器において発生した熱を拡散させることができる。
【図面の簡単な説明】
【０００８】
【図１】本発明を適用した電子機器の一実施形態の構成を示すもので、カメラの概略平面図である。
【図２】図１の矢印Ａ−Ａ線に沿った拡大断面図である。
【図３】図２の矢印Ｂ−Ｂ線に沿った断面図である。
【図４】図２の状態から枠体を下方へ回転させた状態の図である。
【図５】図４の矢印Ｃ−Ｃ線に沿った断面図である。
【発明を実施するための形態】
【０００９】
以下、図を参照して本発明を実施するための形態を詳細に説明する。
（実施形態）
図１から図３は本発明を適用した電子機器の一実施形態としてカメラの概略構成を示すもので、１はレンズブロック（本体部）、２は表示ブロック（本体部）、３はグリップブロック（枠体）、４は撮像部、５は表示部である。
【００１０】
図示のように、カメラの本体部は、撮像レンズを有する撮像部４を備えるレンズブロック１と、表示部５を備える表示ブロック２とからなり、この本体部を囲むＵ字型形状の枠体であるグリップブロック３が、そのＵ字型形状の両先端を貫く方向の回転軸で表示ブロック２に対し回転可能にヒンジ結合されている。
なお、レンズブロック１と表示ブロック２は、前記回転軸と直交する方向の回転軸で回転可能にヒンジ結合されている。
【００１１】
そして、表示ブロック２とグリップブロック３の固定を行うため、表示ブロック２には、レンズブロック１と反対側端面の中央から突出するロックピン２１が備えられている。
ロックピン２１は、大径後部２１ａにより、表示ブロック２内に抜け止めして出没動作可能に組み込まれ、ばね２２によって突出方向に付勢されている。
【００１２】
また、表示ブロック２の内部には、各種電子部品を実装した発熱源である基板２３が収納されている。
さらに、表示ブロック２の内部には、その筐体の強度アップと熱の移動を目的にメタルフレーム２４が設けられている。
メタルフレーム２４は、基板２３のロックピン２１側の端部上に設けられて、基板２３に対して不図示のねじによる接合と接触により熱が伝達される。
【００１３】
そして、メタルフレーム２４のロックピン２１側の端面に対して、熱伝導率の良い接触部材であるグラファイトなどによるクッション材２５を貼り付けておく。
このクッション材２５には、ロックピン２１の大径後部２１ａの後面が接触可能である。
なお、接触部材２５としては、クッション材以外にも、熱伝導率の良い銅などを使用したばね形状の物でもよい。
【００１４】
さらに、表示ブロック２内のロックピン２１周囲の内面にも、同様の熱伝導率の良い接触部材であるクッション材２６を貼り付けておく。
このクッション材２６には、ロックピン２１の大径後部２１ａの前面が接触可能である。
なお、接触部材２６も、クッション材以外に、熱伝導率の良い銅などを使用したばね形状の物でもよい。
【００１５】
また、グリップブロック３は、金属部品のグリップフレーム３１と、このグリップフレーム３１を覆う非金属部品で樹脂製のグリップケース３２とから構成されている。
さらに、グリップフレーム３１のＵ字型形状の両側部間に、金属部品のストラップベース３３をねじ結合して連続部が形成されている。
ストラップベース３３は、中央にストラップ通し孔３３ａを有しており、このストラップ通し孔３３ａに対応して、グリップケース３２にもストラップ通し孔３２ａ・３２ｂが形成されている。
【００１６】
そして、ストラップベース３３の内側面の中央に、ロックピン２１の先端部を受け入れる凹部による受部３４が形成されている。
さらに、ストラップベース３３の内側面には、受部３４を除いて、手指の接触に対する保護用の樹脂テープ３５が貼り付けられている。
【００１７】
図１から図３に示すように、表示ブロック２のロックピン２１がばね２２の付勢によりグリップブロック３のストラップベース３３の受部３４に進入して、表示ブロック２とグリップブロック３が固定状態の時において、ロックピン２１は、受部３４（ストラップベース３３）に押されるため、ばね２２の付勢に抗って左側に移動する。
この状態で、ロックピン２１の大径後部２１ａ前面とクッション材２６との間に隙間Ｓ（図３参照）が生じている。
【００１８】
そして、ロックピン２１の大径後部２１ａ後面がクッション材２５に接触する。
従って、基板２３からメタルフレーム２４を介して熱伝導率の良いクッション材２５に伝わった熱が、クッション材２５からロックピン２１を介して、表示ブロック２の筐体外部のストラップベース３３に伝わり、さらに、グリップフレーム３１に伝わる。
【００１９】
ここで、ストラップベース３３は、外側をグリップケース３２で覆われて、内側を樹脂テープ３５で覆われているため、メタルフレーム２４から伝わった熱をユーザが直接触れられない。
また、ストラップベース３３は、空洞のストラップ通し孔３３ａを有しているので、外気と接触する表面積を増加することができる。
【００２０】
次に、図４及び図５に示すように、ロックピン２１が受部３４から外れて、表示ブロック２とグリップブロック３の自由状態の時において、ロックピン２１は、ストラップベース３３から受ける力がなくなるため、ばね２２の付勢により右方向に移動する。
これにより、ロックピン２１の大径後部２１ａ後面とクッション材２５との間に隙間Ｓ（図５参照）が生じて接触がなくなって、基板２３からの熱の伝達が止まる。
【００２１】
そして、ロックピン２１の大径後部２１ａの前面が熱伝導率の良いクッション材２６に接触する。
こうして、ロックピン２１とクッション材２６が接触することにより、ロックピン２１に残った熱を表示ブロック２の筐体内部に戻す。
【００２２】
以上、表示ブロック２内の発熱を、グリップブロック３を固定するのに必要な熱伝導率の高い部品であるロックピン２１を利用して、外部のグリップブロック３の金属部品であるストラップベース３３及びグリップフレーム３１に伝える。
すなわち、表示ブロック２とグリップブロック３を固定して、グリップブロック３の内側にユーザが触れない状態の場合にのみ、グリップケース３２で外が覆われたストラップベース３３及びグリップフレーム３１に熱を逃がし、グリップブロック３の内側にユーザが触れる状態の場合は、ストラップベース３３及びグリップフレーム３１に熱を伝えないように構成する。
【００２３】
従って、表示ブロック２の内部に溜まっている熱を外部のストラップベース３３及びグリップフレーム３１に移動できる。
そして、ストラップベース３３の熱が、ストラップ通し孔３３ａにより外気に触れて、グリップフレーム３１の熱が、それを覆うグリップケース３２の内側から外気に触れることで、放熱の効果が期待できる。
また、ストラップベース３３及びグリップフレーム３１にユーザが直接触れないため、低温火傷などの心配がない。
【００２４】
以上、実施形態のカメラによれば、ロックピン２１が受部３４に係合して、表示ブロック２とグリップブロック３が固定状態に保持された時に、表示ブロック２内の発熱源である基板２３から発生した熱を、熱伝導率の良いクッション材２５とロックピン２１と受部３４を介して、グリップブロック３のストラップベース３３及びグリップフレーム３１に伝達することができる。
従って、表示ブロック２の内部だけでは拡散しきれない熱を、ユーザが触れることなく、表示ブロック２外部のグリップケース３２で覆われたストラップベース３３及びグリップフレーム３１に放出することができる。
【００２５】
（変形例）
以上の実施形態においては、カメラとしたが、本発明はこれに限定されるものではなく、カメラを備える携帯電話など他の電子機器であってもよい。
また、発熱源の種類、本体部、枠体、突出部、及び受部の形状、金属部品、非金属部品の形状等も任意であり、その他、具体的な細部構造等についても適宜に変更可能であることは勿論である。
【００２６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
一端面から突出する突出部と発熱源を備えた本体部と、
一端面に前記突出部が係合する受部を有し、前記本体部に回転可能に結合されて前記本体部を部分的に覆う枠体と、から構成される電子機器であって、
当該電子機器は、前記突出部が前記受部に係合することにより、前記本体部と前記枠体が固定状態に保持され、
前記本体部は更に、当該本体部と前記枠体が固定状態に保持された時に、前記突出部と接触する接触部材を備え、
前記本体部と前記枠体が固定状態に保持された時に、前記発熱源から発生した熱が前記接触部材と前記突出部と前記受部を介して前記枠体に拡散することを特徴とする電子機器。
＜請求項２＞
前記枠体は、金属部品と、前記金属部品の外側を覆う非金属部品と、から構成されており、
前記受部は前記金属部品に設けられ、前記本体部と前記枠体が固定状態に保持された時に、前記発熱源から発生した熱が前記接触部材と前記突出部と前記受部を介して前記金属部品に拡散することを特徴とする請求項１に記載の電子機器。
＜請求項３＞
前記突出部は、前記本体部の当該突出部を有する端面から突出する方向に付勢部品で付勢されていることを特徴とする請求項１または２に記載の電子機器。
＜請求項４＞
前記本体部と前記枠体が固定状態に保持された時、前記突出部は、前記付勢部品による付勢に抗って前記本体部の内部に没入して前記接触部材に接触することを特徴とする請求項３に記載の電子機器。
＜請求項５＞
前記本体部と前記枠体が固定状態に保持されていない時、前記突出部は、前記付勢部品による付勢により、前記接触部材から離間することを特徴とする請求項３または４に記載の電子機器。
＜請求項６＞
前記本体部は、撮像部を備える第１のブロックと、表示部を備える第２のブロックと、から構成されることを特徴とする請求項１から５の何れか一項に記載の電子機器。
＜請求項７＞
前記第１のブロックと前記第２のブロックは回転可能なことを特徴とする請求項６に記載の電子機器。
＜請求項８＞
前記発熱源は、前記第２のブロックに備えられていることを特徴とする請求項６または７に記載の電子機器。
＜請求項９＞
一端面から突出する突出部と発熱源を備えた本体部と、
一端面に前記突出部が係合する受部を有し、前記本体部に回転可能に結合されて前記本体部を部分的に覆う枠体と、から構成される電子機器の熱拡散方法であって、
当該電子機器は、前記突出部が前記受部に係合することにより、前記本体部と前記枠体が固定状態に保持され、
前記本体部は更に、当該本体部と前記枠体が固定状態に保持された時に、前記突出部と接触する接触部材を備え、
前記本体部と前記枠体が固定状態に保持された時に、前記発熱源から発生した熱が前記接触部材と前記突出部と前記受部を介して前記枠体に拡散することを特徴とする電子機器の熱拡散方法。
【符号の説明】
【００２７】
１  第１のブロック（本体部）
２  第２のブロック（本体部）
３  グリップブロック（枠体）
４  撮像部
５  表示部
２１  ロックピン（突出部）
２１ａ  大径後部
２２  ばね（付勢部品）
２３  基板（発熱源）
２４  メタルフレーム（熱伝達部材）
２５  クッション材（接触部材）
２６  クッション材（接触部材）
３１  グリップフレーム（金属部品）
３２  グリップケース（非金属部品）
３２ａ  ストラップ通し孔
３２ｂ  ストラップ通し孔
３３  ストラップベース（金属部品）
３３ａ  ストラップ通し孔
３４  受部
３５  樹脂テープ
Ｓ  隙間
【図１】
2017228550.tif 000003
【図２】
2017228550.tif 000004
【図３】
2017228550.tif 000005
【図４】
2017228550.tif 000006
【図５】
2017228550.tif 000007